(57)【要約】【課題】低級脂肪酸等に由来する臭気、アミン類に由来する臭気、あるいはこれらが共存する複合臭、特に汗、尿、月経血等の分泌体液に由来する不快臭、特には月経血に由来する不快臭（生理臭）に対して優れた消臭効果をもつ消臭剤組成物を提供する。【解決手段】親水部としてトリエタノールアミン、イミダゾール、トリス（ヒドロキシメチル）アミノメタンの中から選ばれる１種または２種以上を塩として含むアニオン性界面活性剤（例えばヤシ油脂肪酸サルコシントリエタノールアミンなど）を含有し、あるいは該アニオ性界面活性剤とアルカリ物質（例えば炭酸水素ナトリウム、クエン酸ナトリウム、酢酸ナトリウムなど）を含有し、さらに所望により植物抽出液を含有する、消臭剤組成物。【選択図】　なし【特許請求の範囲】
【請求項１】
親水部としてトリエタノールアミン、イミダゾール、トリス（ヒドロキシメチル）アミノメタンの中から選ばれる１種または２種以上を塩として含むアニオン性界面活性剤を含有する、消臭剤組成物。
【請求項２】
さらにアルカリ物質を含有する、請求項１記載の消臭剤組成物。
【請求項３】
上記アニオン性界面活性剤が、疎水部としてＮ−アシルアミノ酸、Ｎ−アシルサルコシン酸、アルキル硫酸エステル、ポリオキシエチレンアルキルエーテル硫酸、高級脂肪酸、アルキルベンゼンスルホン酸の中から選ばれる１種または２種以上を含む、請求項１または２記載の消臭剤組成物。
【請求項４】
上記アルカリ物質が、モノエタノールアミン、ジエタノールアミン、トリエタノールアミン、アミノメチルプロパノール（ＡＭＰ）、アミノメチルプロパンジオール、塩基性アミノ酸、水酸化カリウム、水酸化ナトリウム、炭酸水素カリウム、炭酸水素ナトリウム、クエン酸カリウム、クエン酸ナトリウム、酢酸カリウム、酢酸ナトリウム、コハク酸二カリウム、コハク酸二ナトリウム、乳酸カリウム、乳酸ナトリウムの中から選ばれる１種または２種以上である、請求項２または３記載の消臭剤組成物。
【請求項５】
上記アニオン性界面活性剤を０．５〜９質量％含有する、請求項１〜４のいずれか１項に記載の消臭剤組成物。
【請求項６】
上記アルカリ物質を１〜１０質量％含有する、請求項２〜５のいずれか１項に記載の消臭剤組成物。
【請求項７】
さらに植物抽出液を含有する、請求項１〜６のいずれか１項に記載の消臭剤組成物。
【請求項８】
上記植物抽出液がウーロン茶抽出液、カミツレ抽出液、ローズマリー抽出液、ペパーミント抽出液、タイム抽出液、ラベンダー抽出液、サクラリーフ抽出液、コリアンダー抽出液、センキュウ抽出液、ボタンピ抽出液、エイジツ抽出液、オトギリソウ抽出液、ゼラニウムオイルの中から選ばれる１種または２種以上である、請求項７記載の消臭剤組成物。
【請求項９】
低級脂肪酸、酢酸、乳酸のいずれかの酸に由来する臭気、またはアミン類に由来する臭気、あるいはこれらが共存する複合臭を消臭するために用いられる、請求項１〜８のいずれか１項に記載の消臭剤組成物。
【請求項１０】
生理臭を消臭するために用いられる、請求項１〜９記載の消臭剤組成物。
【発明の詳細な説明】
【０００１】
【発明の属する技術分野】
本発明は消臭剤組成物に関する。さらに詳しくは、低級脂肪酸等に由来する臭気、アミン類に由来する臭気、あるいはこれらが共存する複合臭の消臭効果に優れる消臭剤組成物に関する。本発明は特に、汗、尿、月経血等の分泌体液に由来する不快臭、特には月経血に由来する不快臭（いわゆる生理臭）の消臭に好適に適用される。
【０００２】
【従来の技術】
近年の芳香・消臭剤市場における推移をみると、消費者のニーズは、強い芳香により悪臭をマスキングする芳香剤から、微香性または無賦香で臭いを消す消臭剤へと変化してきていることがうかがえる。このような消臭剤としては、固体（ゲル）状、固体（粒）状、ミスト状、エアゾール等様々な剤形のものが市販され、また消臭対象としてトイレ臭、生ゴミ臭、ペット臭、タバコ臭、汗、尿、月経血等の分泌体液に由来する不快臭など、多岐に亘る不快臭・悪臭に対して消臭剤が開発されている。
【０００３】
消臭手段としては、両性界面活性剤、中和剤、植物抽出液などによる化学的消臭、活性炭や多孔性物質などによる物理的消臭、微生物を利用する生物的消臭等が挙げられる。しかしながら、化学的消臭ではターゲットとする１種類の悪臭に対しては効果があるが、複合臭に対して消臭効果が十分といえるものはなく、特に植物抽出液を消臭有効成分としている消臭剤では、該抽出液を多量に配合すると沈殿や着色等製剤の安定性の面で問題が生じることがある。また、物理消臭では消臭効果の持続性が低いという問題があり、生物的消臭では大規模な施設を必要とするなど、それぞれに欠点を有していた。
【０００４】
一方、生活環境の中で感じる不快な臭気はそのほとんどが複合臭であり、特定の臭気のみでなく、幅広い悪臭に対して効果のある消臭剤、および多種の悪臭の共存する複合臭の臭気に対して効果が高くかつ手軽に使用できる消臭剤が望まれている。
【０００５】
なお消臭剤、消臭方法に関する従来技術文献として下記特許文献１〜４が挙げられる。
【０００６】
【特許文献１】
特開２００１−１９８２００号公報
【特許文献２】
特開平５−１９２３８３号公報
【特許文献３】
特開２００２−７１１号公報
【特許文献４】
特開平７−８８１６８号公報
【０００７】
【発明が解決しようとする課題】
本発明では、低級脂肪酸等に由来する臭気、アミン類に由来する臭気、あるいはこれらが共存する複合臭、特に汗、尿、月経血等の分泌体液に由来する不快臭、特には月経血に由来する不快臭（生理臭）に対して優れた消臭効果をもつ消臭剤組成物を提供することを目的とする。
【０００８】
【課題を解決するための手段】
上記課題を解決するために本発明は、親水部としてトリエタノールアミン、イミダゾール、トリス（ヒドロキシメチル）アミノメタンの中から選ばれる１種または２種以上を塩として含むアニオン性界面活性剤を含有する消臭剤組成物を提供する。
【０００９】
また本発明は、上記アニオン性界面活性剤と、アルカリ物質を含有する消臭剤組成物を提供する。
【００１０】
上記において、アニオン性界面活性剤が、疎水部としてＮ−アシルアミノ酸、Ｎ−アシルサルコシン酸、アルキル硫酸エステル、ポリオキシエチレンアルキルエーテル硫酸、高級脂肪酸、アルキルベンゼンスルホン酸の中から選ばれる１種または２種以上を含むものが好ましい。
また上記において、アルカリ物質が、モノエタノールアミン、ジエタノールアミン、トリエタノールアミン、アミノメチルプロパノール（ＡＭＰ）、アミノメチルプロパンジオール、塩基性アミノ酸、水酸化カリウム、水酸化ナトリウム、炭酸水素カリウム、炭酸水素ナトリウム、クエン酸カリウム、クエン酸ナトリウム、酢酸カリウム、酢酸ナトリウム、コハク酸二カリウム、コハク酸二ナトリウム、乳酸カリウム、乳酸ナトリウムの中から選ばれる１種または２種以上であるのが好ましい。
【００１１】
また上記において、さらに植物抽出液を含有するのが好ましい。
【００１２】
本発明の消臭剤組成物は、低級脂肪酸、酢酸、乳酸のいずれかの酸に由来する臭気、またはアミン類に由来する臭気、あるいはこれらが共存する複合臭、特には生理臭を消臭するために用いるのが好ましい。
【００１３】
【発明の実施の態様】
以下、本発明について詳述する。
【００１４】
本発明に用いられるアニオン性界面活性剤は、親水部としてトリエタノールアミン、イミダゾール、トリス（ヒドロキシメチル）アミノメタンの中から選ばれる１種または２種以上を塩として含む。
【００１５】
上記アニオン性界面活性剤の疎水部は、特に限定されるものでないが、Ｎ−アシルアミノ酸、Ｎ−アシルサルコシン酸、アルキル硫酸エステル、ポリオキシエチレンアルキルエーテル硫酸、高級脂肪酸、アルキルベンゼンスルホン酸の中から選ばれる１種または２種以上を含むものが好ましい。
【００１６】
本発明に好適に用いられるアニオン性界面活性剤の具体例としては、以下のものが例示されるが、これら例示に限定されるものでない。
【００１７】
Ｎ−アシルアミノ酸を疎水部として含む上記アニオン性界面活性剤としては、Ｎ−アシルグルタミン酸（例えば、Ｎ−ラウロイルグルタミン酸、Ｎ−ミリストイルグルタミン酸、Ｎ−パルミトイルグルタミン酸、Ｎ−ステアロイルグルタミン酸など）、Ｎ−アシルグリシン（例えば、Ｎ−ラウロイルグリシン、Ｎ−ミリストイルグリシン、Ｎ−パルミトイルグリシン、Ｎ−ステアロイルグリシンなど）、Ｎ−アシルアラニン（例えば、Ｎ−ラウロイルアラニン、Ｎ−ミリストイルアラニン、Ｎ−パルミトイルアラニン、Ｎ−ステアロイルアラニンなど）、Ｎ−アシルアスパラギン酸（例えば、Ｎ−ラウロイルアスパラギン酸、Ｎ−ミリストイルアスパラギン酸、Ｎ−パルミトイルアスパラギン、Ｎ−ステアロイルアスパラギン酸など）等の、トリエタノールアミン塩、イミダゾール塩、またはトリス（ヒドロキシメチル）アミノメタン塩が挙げられる。
【００１８】
Ｎ−アシルサルコシン酸を疎水部として含む上記アニオン性界面活性剤としては、ヤシ油脂肪酸サルコシン等の、トリエタノールアミン塩、イミダゾール塩、またはトリス（ヒドロキシメチル）アミノメタン塩が挙げられる。
【００１９】
アルキル硫酸エステルを疎水部として含む上記アニオン性界面活性剤としては、ラウリル硫酸、ミリスチル硫酸、パルミチル硫酸、ステアリル硫酸等の、トリエタノールアミン塩、イミダゾールアミン塩、またはトリス（ヒドロキシメチル）アミノメタン塩が挙げられる。
【００２０】
ポリオキシエチレンアルキルエーテル硫酸を疎水部として含む上記アニオン性界面活性剤としては、ポリオキシエチレン（以下、ＰＯＥとも記す）ラウリルエーテル硫酸、ＰＯＥミリスチルエーテル硫酸、ＰＯＥパルミチルエーテル硫酸、ＰＯＥステアリルエーテル硫酸等の、トリエタノールアミン塩、イミダゾール塩、またはトリス（ヒドロキシメチル）アミノメタン塩が挙げられる。
【００２１】
高級脂肪酸を疎水部として含む上記アニオン性界面活性剤としては、ラウリン酸、ミリスチン酸、パルミチン酸、ステアリン酸等の、トリエタノールアミン塩、イミダゾール塩、またはトリス（ヒドロキシメチル）アミノメタン塩が挙げられる。
【００２２】
アルキルベンゼンスルホン酸を疎水部として含む上記アニオン性界面活性剤としては、ドデシルベンゼンスルホン酸等の、トリエタノールアミン塩、イミダゾール塩、またはトリス（ヒドロキシメチル）アミノメタン塩が挙げられる。
【００２３】
本発明では、アニオン性界面活性剤として、特に消臭効果の高さの点から、Ｎ−アシルアミノ酸トリエタノールアミン塩、Ｎ−アシルサルコシン酸トリエタノールアミン塩、アルキル硫酸エステルトリエタノールアミン塩、ポリオキシエチレンアルキルエーテル硫酸トリエタノールアミン塩、アルキルベンゼンスルホン酸トリエタノールアミン塩、アルキル硫酸トリス（ヒドロキシメチル）アミノメタン塩、高級脂肪酸トリエタノールアミン塩、高級脂肪酸イミダゾール塩などが好ましい。アニオン性界面活性剤は１種または２種以上を用いることができる。
【００２４】
アニオン性界面活性剤の配合量は、本発明消臭剤組成物の剤型により多少異なるが、例えば液状製剤の場合、消臭効果、使用性等の点から、本発明消臭剤組成物中、０．５〜９質量％程度が好ましく、特には０．５〜５質量％程度である。配合量が少なすぎると特にアミン臭に対する消臭効果が十分でなく、一方、配合量が多すぎると泡立ちが目立ち、使い勝手に劣る傾向がみられるため、濃縮液として使用する場合には希釈して用いる必要がある。
【００２５】
本発明では、親水部としてトリエタノールアミン、イミダゾール、トリス（ヒドロキシメチル）アミノメタンの中から選ばれる１種または２種以上を塩として含むアニオン性界面活性剤を配合することにより、特にアミン類に由来する臭気に対する消臭を効果的に行うことができる。アミン類に由来する臭気としては、台所の生ゴミ臭、魚臭さ、尿等のトイレ臭、血液臭などが代表的なものとして例示されるが、これら例示の臭気に限定されるものでない。
【００２６】
なお、上記アニオン性界面活性剤を本発明消臭剤組成物中へ配合する際、あらかじめ親水部と疎水部とを混合溶解してアニオン性界面活性剤を調製してから配合してもよく、あるいは親水部と疎水部とをそれぞれ別々に配合して組成物系中でアニオン性界面活性剤としてもよい。
【００２７】
本発明では、上記アニオン性界面活性剤に加えて、さらにアルカリ物質を配合した消臭剤も提供される。
【００２８】
本発明に用いられるアルカリ物質としては、特に限定されるものでないが、弱アルカリ性のものが好ましく、具体的にはモノエタノールアミン、ジエタノールアミン、トリエタノールアミン、アミノメチルプロパノール（ＡＭＰ）、アミノメチルプロパンジオール、塩基性アミノ酸（例えば、リジン、アルギニン、ヒスチジンなど）、水酸化カリウム、水酸化ナトリウム、炭酸水素カリウム、炭酸水素ナトリウム、クエン酸カリウム、クエン酸ナトリウム、酢酸カリウム、酢酸ナトリウム、コハク酸二カリウム、コハク酸二ナトリウム、乳酸カリウム、乳酸ナトリウムの中から選ばれる１種または２種以上が好ましく用いられる。
【００２９】
これらアルカリ物質は、低級脂肪酸臭に代表される酸臭に対しては中和剤としての働きをするもので、該酸臭に対する消臭効果のある配合量として、クエン酸ナトリウム、トリエタノールアミンで実験を行った結果、いずれも２質量％程度ですでに十分に満足し得る効果が確認でき、悪臭物質と中和剤とが等モル当量以上で十分に満足し得る消臭効果が確認できた。したがって、中和消臭には、用いる中和剤（アルカリ物質）のｐＨよりも、むしろその配合量の影響を受けやすいことが示唆された。その一方、アミン臭に対する消臭効果については、ｐＨ７．９〜８．３程度の弱アルカリ剤ではアミン臭が強調されることがないことが確認でき、それよりもｐＨの高い強アルカリ剤ではアミン臭と低級脂肪酸臭が共存する場合、アミン臭が強調されてしまうことから、酸臭とアミン臭との複合臭の消臭においてはｐＨ７．９〜８．３程度の弱アルカリ剤が好ましく用いられる。かかる弱アルカリ剤として、特にはクエン酸カリウム、クエン酸ナトリウム、炭酸水素カリウム、炭酸水素ナトリウム、酢酸カリウム、酢酸ナトリウム、コハク酸二カリウム、コハク酸二ナトリウム、乳酸カリウム、乳酸ナトリウムなどが好ましいものとして挙げられる。
【００３０】
アルカリ物質の配合量は、本発明消臭剤組成物中、１〜１０質量％程度が好ましく、特には１．５〜７質量％程度である。配合量を上記範囲とすることにより、特に酸臭、アミン臭の複合臭の消臭において特に優れた消臭効果を奏する。
【００３１】
本発明において、上記特定のアニオン性界面活性剤にアルカリ物質を配合した消臭剤組成物では、特に、汗、尿、月経血等の分泌体液に由来する不快臭、特には月経血に由来する不快臭（生理臭）の消臭に好適に適用される。これらは１種類の臭い成分ではなく、複数の臭い成分が共存して複合臭をなし、臭気成分の解明は簡単ではない。例えば生理臭は、低級脂肪酸（プロピオン酸、イソ酪酸、酪酸、イソ吉草酸、２−メチル酪酸、４−メチル吉草酸など）、酢酸、乳酸等の酸に由来する酸臭と、アミン類（トリメチルアミンなど）とが共存した複合臭であると考えられている。したがって、特にアミン臭に対して消臭効果を有する上記特定のアニオン性界面活性剤に、低級脂肪酸臭に対応してアルカリ物質を適量配合することにより、特に酸臭とアミン臭の複合臭に対して優れた消臭効果を奏するものである。
【００３２】
アミン臭、酸臭の両者に消臭効果のある製剤とするためには、ｐＨを極端に酸性、アルカリ性に傾けると、一方の臭気が強調されてしまうことから、単純な中和消臭で消臭することは難しい。本発明では特定のアニオン性界面活性剤にアルカリ物質（特には弱アルカリ物質）を配合することにより、これらアミン臭、酸臭の複合臭に対して優れた消臭効果を得ることができた。
【００３３】
本発明消臭剤組成物には、より高い消臭効果を企図して、さらに植物抽出液を含有してもよい。植物抽出液としては、マスキング効果のある抽出液としてツバキ科のウーロン茶、キク科のカミツレ、シソ科のローズマリー、ペパーミント、タイム、ラベンダー、バラ科のサクラリーフ、セリ科のコリアンダー、センキュウ、ボタン科のボタンピ等の抽出液が挙げられる。また、実際に悪臭濃度を減少する（消臭率の高い）抽出液としてバラ科のエイジツ、オトギリソウ科のオトギリソウ等の抽出液、ゼラニウムオイルなどが挙げられる。植物抽出液は１種または２種以上を配合することができる。
【００３４】
植物抽出液は、水、アルコール（エタノール、ブチレングリコール等）等の溶媒で常法により抽出したものを用いることができ、また市販品も好ましく用いられる。
【００３５】
植物抽出液は、本発明消臭剤組成物中、抽出液（エキス）量として０．１〜３質量％程度（純分として０．００１〜０．３質量％程度）配合するのが好ましく、特には０．５〜１．５質量％程度（純分として０．００５〜０．１５質量％程度）である。
【００３６】
本発明の消臭剤組成物には、さらに、シクロデキストリン類、プロピラート等の蒸発抑制物質等の消臭効果を有する成分を配合してもよい。これらの成分を配合することにより、より複雑な複合臭に対しても対応できる。
【００３７】
また変色防止剤として、エチレンジアミンヒドロキシエチル三酢酸三ナトリウム、エデト酸三ナトリウム等のキレート剤、メタリン酸ナトリウム、尿素などを配合してもよい。配合量は０．０１〜３質量％程度が好ましい。
【００３８】
また、上記成分に加えて、防腐剤、安定化剤、キレート剤、香料、着色剤、粘度調整剤、抗菌剤、精油等の各種添加剤を配合することができる。
【００３９】
本発明の消臭剤は、人体、住宅、公共施設などで発生する悪臭に対して広範囲に利用することができる。人体から発生する足臭や腋臭などの体臭、トイレでの糞便臭や生理臭、ペットの動物臭、生ゴミ臭、タバコ臭など生活環境に存在するこれらの悪臭はほとんどが複合臭であり、本発明の製剤ではこれらの複合臭に対して優れた消臭効果を発揮し、特に生理臭の消臭に効果がある。
【００４０】
本発明の消臭剤組成物は液状製剤とするのが好ましく、またその使用方法は、ミスト化して空気中に発散させる方法が好適である。具体的には、エアゾール製剤ではボンベに充填し噴霧する方法、圧送した消臭剤組成物を細孔よりミスト化して提供する方法、アトマイザーのような容器を用いてミスト化する方法、および超音波振動子等によって微量霧化する方法等がある。超音波振動子によって微量霧化する方法は、ミストの粒径や噴霧量を容易にコントロールできる。なお、ミストの粒径を微細化する方が浮遊時間が長いために消臭効果が高くなる傾向があり、粒径としては２０〜５００μｍであり、好ましくは５０〜２００μｍである。
【００４１】
さらに、本発明消臭剤組成物をゲル基剤や泡状基剤に封入させてなる固形状〜半固形状の製剤や、シート、フィルム、繊維等に含浸させた雑貨類、生理用品などの剤型としての使用も可能である。
【００４２】
なおエアゾール型泡状製剤（ムース状製剤）として用いる場合、用いられるエアゾール用噴射剤としては、ジクロロジフルオロメタン、ジフルオロモノクロロエタン、モノクロロジフルオロメタン、ジクロロテトラフルオロエタン、テトラフルオロエタン、ジメチルエーテル（ＤＭＥ）、プロパン、イソブタン、ｎ−ブタン、イソペンタン、液化石油ガス（ＬＰＧ；プロパン、イソブタン、ｎ−ブタンを主成分とする）またはこれらの混合物などが例示される。地球環境等の点も考慮すると、液化石油ガス（ＬＰＧ）、ジメチルエーテル（ＤＭＥ）と液化石油ガス（ＬＰＧ）との混合噴射剤、イソブタン等が好ましく用いられる。エアゾール型泡状製剤においては、本発明消臭剤組成物を含む原液を５〜９５質量％程度、噴射剤を９５〜５質量％程度の範囲で配合するのが好ましい。原液には高級アルコール（例えばベヘニルアルコール、セチルアルコール、バチルアルコール、ステアリルアルコールなど）、水、界面活性剤等が配合される。原液中における本発明消臭剤組成物の配合量は１〜５質量％程度とするのが好ましい。
【００４３】
【実施例】
以下に本発明を実施例によりさらに詳細に説明するが、本発明はこれら実施例によりなんら限定されるものではない。なお、配合量は特記しない限り質量％で示す。
【００４４】
［消臭効果評価試験］
下記組成の試験サンプル（試料１、２）を用いて消臭効果評価試験を行った。
【００４５】
（試料１）
（配　合　成　分）　　　　　　　　　　　　　　　　（質量％）
ヤシ油脂肪酸サルコシントリエタノールアミン　　　　　　　　３
クエン酸ナトリウム　　　　　　　　　　　　　　　　　　　　７
精製水　　　　　　　　　　　　　　　　　　　　　　　　　９０
【００４６】
（試料２）
（配　合　成　分）　　　　　　　　　　　　　　　　（質量％）
ヤシ油脂肪酸サルコシントリエタノールアミン　　　　　　　　３
精製水　　　　　　　　　　　　　　　　　　　　　　　　　９７
（試験方法）
２００ｍＬの三角フラスコを用意し、悪臭源として、イソ吉草酸（低級脂肪酸臭）、トリメチルアミン（アミン臭）を用いた。
【００４７】
すなわち、低級脂肪酸臭としてイソ吉草酸の０．０４質量％の水溶液を三角フラスコに０．１ｍｌ入れ１０分間放置した。また、アミン臭として０．０１質量％の水溶液を別の三角フラスコに０．１ｍｌ入れ３０分間放置した。これら放置時間は、それぞれの悪臭源の気液平衡の安定時間を選定した。
【００４８】
その後、上記試料１、２をそれぞれ各三角フラスコ内に入れ、５分間後、および１時間後の消臭効果を、下記基準により評価した。
【００４９】
なお、コントロールとして、三角フラスコに上記悪臭源（イソ吉草酸、トリエタノールアミン）のみを入れてそれぞれ上記安定時間放置したものを用いた。
【００５０】
（消臭効果評価方法）
ガス検知管による気相に存在する悪臭物質の濃度測定、および一般パネル（５名）により官能評価（５段階評価）を行った。
【００５１】
〈ガス検知管による評価〉
上記試料１、２をそれぞれ入れて所定時間経過した後の各三角フラスコと、コントロールとして用いた三角フラスコ内の、各気相中に存在する悪臭物質の濃度をガス検知管により測定した。この測定結果から、下記数１に示す式により消臭率を計算し、評価した。結果を表２に示す。
【００５２】
【数１】
2004049889.tif 000002
【００５３】
Ｓ：ガス検知管による試験サンプルの気相中の測定濃度（ｐｐｍ）
Ｃ：ガス検知管によるコントロールの気相中の測定濃度（ｐｐｍ）
（評価）
◎：　消臭率が８５〜１００％
○：　消臭率が７５％以上８５％未満
△：　消臭率が５０％以上７５％未満
×：　消臭率が５０％未満
【００５４】
〈パネルによる官能評価〉
パネル（５名）により、下記評価基準により評価した。なお、官能評価の判定は下記表１の判定表に従った。結果を表２に示す。
【００５５】
【表１】
2004049889.tif 000003
【００５６】
（評価）
◎：　悪臭強度が１
○：　悪臭強度が２以上３より小さい
△：　悪臭強度が３以上４より小さい
×：　悪臭強度が４以上
【００５７】
【表２】
2004049889.tif 000004
【００５８】
表２に示すように、試料１、試料２はいずれもトリメチルアミンに対し高い消臭効果を有することが確認できた。さらに試料１では、はイソ吉草酸、トリメチルアミンの両者に対しても高い消臭効果があることが確認できた。また試料１、２とも、複合臭に対しても優れた効果を有し、特に試料１では極めて優れた効果を有することがわかる。
【００５９】
［本発明に用いられるアニオン性界面活性剤による消臭効果］
アミン臭（トリメチルアミン）に対する、本発明に用いられる各種アニオン性界面活性剤の消臭効果について、上記と同様の要領でガス検知官測定による評価、パネルによる官能評価を行った。結果を表３に示す。
【００６０】
【表３】
2004049889.tif 000005
【００６１】
表３に示す結果から明らかなように、本発明に用いられるアニオン性界面活性剤は、いずれもアミン臭に対する消臭効果が高いことが確認できた。
【００６２】
［本発明に用いられるアニオン性界面活性剤の配合量による消臭効果］
アニオン性界面活性剤としてヤシ油脂肪酸サルコシントリエタノールアミンを用い、アミン臭（トリメチルアミン）に対する、アニオン性界面活性剤の配合量による消臭効果について、上記と同様の要領でガス検知官測定による評価、パネルによる官能評価を行った。結果を表４に示す。
【００６３】
【表４】
2004049889.tif 000006
【００６４】
表４に示す結果から明らかなように、溶液状製剤の場合において、アニオン性界面活性剤の配合量として、１．０質量％以上でアミン臭に対して消臭効果が発現することが確認できた。また配合量９．０質量％以下において泡立ちがみられず、使い勝手も良好であった。
【００６５】
さらに、以下に消臭効果の高い本発明消臭剤組成物の好適な処方を示す。なお以下の処方において、植物抽出液の配合量は抽出液量（エキス量）を示す。
【００６６】
（実施例１）　液状消臭剤
（配　合　成　分）　　　　　　　　　　　　　　　　（質量％）
（１）ヤシ油脂肪酸サルコシントリエタノールアミン　　　　　　３
（２）クエン酸ナトリウム　　　　　　　　　　　　　　　　　　７
（３）防腐剤　　　　　　　　　　　　　　　　　　　　　　　適量
（４）褐色防止剤（尿素）　　　　　　　　　　　　　　　　　　０．１
（５）精製水　　　　　　　　　　　　　　　　　　　　　　　残余
（製法）
（５）に、（１）、（２）、（４）を室温にて溶解し水相とする。次いでここに（３）を添加して混合溶解し、その後濾過する。
【００６７】
（実施例２）　液状消臭剤
（配　合　成　分）　　　　　　　　　　　　　　　　（質量％）
（１）ヤシ油脂肪酸サルコシントリエタノールアミン　　　　　　３
（２）クエン酸ナトリウム　　　　　　　　　　　　　　　　　　７
（３）ローズマリー抽出液（水、フ゛チレンク゛リコール抽出）　　　　　　　１
（４）防腐剤　　　　　　　　　　　　　　　　　　　　　　　適量
（５）精製水　　　　　　　　　　　　　　　　　　　　　　　残余
（製法）
（５）に、（１）〜（３）を室温にて溶解し水相とする。次いでここに（４）を添加して混合溶解し、その後濾過する。
【００６８】
（実施例３）　液状消臭剤
（配　合　成　分）　　　　　　　　　　　　　　　　（質量％）
（１）ヤシ油脂肪酸サルコシントリエタノールアミン　　　　　　３
（２）クエン酸ナトリウム　　　　　　　　　　　　　　　　　　３
（３）ローズマリー抽出液（水、フ゛チレンク゛リコール抽出）　　　　　　　１
（４）ペパーミント抽出液（水、フ゛チレンク゛リコール抽出）　　　　　　　１
（５）防腐剤　　　　　　　　　　　　　　　　　　　　　　　適量
（６）精製水　　　　　　　　　　　　　　　　　　　　　　　残余
（製法）
（５）に、（１）〜（４）を室温にて溶解し水相とする。次いでここに（５）を添加して混合溶解し、その後濾過する。
【００６９】
（実施例４）　液状消臭剤
（配　合　成　分）　　　　　　　　　　　　　　　　（質量％）
（１）ラウリン酸トリエタノールアミン　　　　　　　　　　　　３
（２）クエン酸ナトリウム　　　　　　　　　　　　　　　　　　７
（３）ローズマリー抽出液（水、フ゛チレンク゛リコール抽出）　　　　　　　１
（４）シクロデキストリン　　　　　　　　　　　　　　　　　　１
（５）防腐剤　　　　　　　　　　　　　　　　　　　　　　　適量
（６）精製水　　　　　　　　　　　　　　　　　　　　　　　残余
（製法）
（５）に、（１）〜（４）を室温にて溶解し水相とする。次いでここに（５）を添加して混合溶解し、その後濾過する。
【００７０】
（実施例５）　液状消臭剤
（配　合　成　分）　　　　　　　　　　　　　　　　（質量％）
（１）Ｎ−ラウロイルグルタミン酸トリエタノールアミン　　　　１
（２）クエン酸ナトリウム　　　　　　　　　　　　　　　　　　７
（３）ゼラニウムオイル　　　　　　　　　　　　　　　　　　　１
（４）防腐剤　　　　　　　　　　　　　　　　　　　　　　　適量
（５）精製水　　　　　　　　　　　　　　　　　　　　　　　残余
（製法）
（５）に、（１）〜（３）を室温にて溶解し水相とする。次いでここに（４）を添加して混合溶解し、その後濾過する。
【００７１】
（実施例６）　液状消臭剤
（配　合　成　分）　　　　　　　　　　　　　　　　（質量％）
（１）Ｎ−ラウリル硫酸トリス（ヒドロキシメチル）
アミノメタン　　　　　　　　　　　　　　　　　　３
（２）炭酸水素ナトリウム　　　　　　　　　　　　　　　　　　７
（３）ローズマリー抽出液（水、フ゛チレンク゛リコール抽出）　　　　　　　１
（４）防腐剤　　　　　　　　　　　　　　　　　　　　　　　適量
（５）精製水　　　　　　　　　　　　　　　　　　　　　　　残余
（製法）
（５）に、（１）〜（３）を室温にて溶解し水相とする。次いでここに（４）を添加して混合溶解し、その後濾過する。
【００７２】
（実施例７）　液状消臭剤
（配　合　成　分）　　　　　　　　　　　　　　　　（質量％）
（１）ドデシルベンゼンスルホン酸トリエタノールアミン　　　　４
（２）メチルパラベン　　　　　　　　　　　　　　　　　　　　０．１
（３）精製水　　　　　　　　　　　　　　　　　　　　　　　残余
（製法）
（３）に（１）を室温にて溶解し水相とする。次いでここに（２）を添加して混合溶解し、その後濾過する。
【００７３】
（実施例８）　ムース状消臭剤
（配　合　成　分）　　　　　　　　　　　　　　　　（質量％）
〈原液〉
ポリオキシエチレン硬化ヒマシ油：
ＰＯＥ（２０）セチルアルコール　　　　　　　　　　　　　４
ＰＯＥ（１６）ステアリルアルコール　　　　　　　　　　　１
セチルアルコール　　　　　　　　　　　　　　　　　　　　　１．５
本発明消臭剤：
Ｎ−ラウロイルグルタミン酸トリエタノールアミン　　　　　５
炭酸水素ナトリウム　　　　　　　　　　　　　　　　　　　５
防腐剤　　　　　　　　　　　　　　　　　　　　　　　　　　０．０５
ｐＨ調整剤　　　　　　　　　　　　　　　　　　　　　　　適量
精製水　　　　　　　　　　　　　　　　　　　　　　　　　残余
〈原液／噴射剤比〉
原液：噴射剤（ＬＰＧ）＝８５：１５（質量比）
（製法）
原液をエアゾール缶に充填し、ここに噴射剤として液化石油ガス（ＬＰＧ）を注入してムース状製剤とする。
【００７４】
（実施例９）　液状消臭剤
（配　合　成　分）　　　　　　　　　　　　　　　　（質量％）
（１）ラウリン酸　　　　　　　　　　　　　　　　　　　　　　２
（２）イミダゾール　　　　　　　　　　　　　　　　　　　　　２
（３）ローズマリー抽出液（水、フ゛チレンク゛リコール抽出）　　　　　　　１
（４）防腐剤　　　　　　　　　　　　　　　　　　　　　　　適量
（５）精製水　　　　　　　　　　　　　　　　　　　　　　　残余
（製法）
（５）に（１）を加え加温し、分散状態とする。次いでここに（２）を徐添した後、（３）、（４）を添加して混合溶解し、その後濾過する。
【００７５】
【発明の効果】
以上詳述したように本発明によれば、親水部としてトリエタノールアミン、イミダゾール、トリス（ヒドロキシメチル）アミノメタンの中から選ばれる１種または２種以上を塩として含むアニオン性界面活性剤を含有する、あるいは当該アニオン性界面活性剤とアルカリ物質とを含有する消臭剤組成物を用いることにより、環境中に存在する代表的な悪臭であるアミン臭、低級脂肪酸臭、さらにこれらの混在した複合臭等の悪臭に対して優れた消臭効果を奏する。本発明消臭組成物は特に生理臭の消臭に好適に適用される。本発明消臭組成物は、例えば液状製剤として空間に散布する（ミスト化等）等の手段により特に効率的に消臭することができる。